(57)【特許請求の範囲】
【請求項１】
記録層と、該記録層に照射される記録用レーザ光または再生用レーザ光が通過する光透過層と、を有する光ディスクに情報を記録する方法において、
前記光ディスクの出力校正領域にてテスト記録を行い、該テスト記録の結果に基づいて記録用レーザ光の最適記録出力を算出して、この算出された出力の記録用レーザ光を前記光ディスクのデータ記録領域に照射し、ピットを形成して情報の記録を行うステップと、
情報の記録を中断し、記録済みのピット及びピット間のスペースに再生用レーザ光を照射して、前記スペースの内のスポット径よりも長いスペースの再生信号レベルを検知して、クロストークの有無を検出するステップと、
クロストークがあった場合、記録用レーザ光または再生用レーザ光のスポットに発生する球面収差の補正を行い、その後記録用レーザ光の出力補正を行うステップと、
クロストークが無かった場合、記録用レーザ光の出力補正のみを行うステップと、
補正後に情報の記録を再開するステップと、
を有することを特徴とする光ディスクの記録方法。
【請求項２】
記録層と、該記録層に照射される記録用レーザ光または再生用レーザ光が通過する光透過層と、を有する光ディスクに情報を記録する方法において、
前記光ディスクの出力校正領域にてテスト記録を行い、該テスト記録の結果に基づいて記録用レーザ光の最適記録出力を算出して、この算出された出力の記録用レーザ光を前記光ディスクのデータ記録領域に照射し、ピットを形成して情報の記録を行うステップと、
情報の記録を中断し、記録済みのピット及びピット間のスペースに再生用レーザ光を照射して、前記スペースの内のスポット径よりも長いスペースの再生信号レベルを検知して、クロストークの有無を検出するステップと、
クロストークがあった場合、記録用レーザ光または再生用レーザ光のスポットに発生する球面収差の補正のみを行うステップと、
クロストークが無かった場合、記録用レーザ光の出力補正のみを行うステップと、
補正後に情報の記録を再開するステップと、
を有することを特徴とする光ディスクの記録方法。
【請求項３】
記録層と、該記録層に照射される記録用レーザ光または再生用レーザ光が通過する光透過層と、を有する光ディスクに情報を記録する記録再生装置において、
記録用レーザ光または再生用レーザ光を発するレーザダイオードと、
該レーザダイオードからのレーザ光を前記光ディスクに集光する対物レンズと、
前記レーザダイオードと前記対物レンズとの間に設けられ、前記記録用レーザ光または前記再生用レーザ光に生じた球面収差を補正する収差補正手段と、
光ディスクからの反射光を再生信号として検出するフォトディテクタと、
を有している光ピックアップ部と、
前記光ピックアップ部からの再生信号を読み取って再生信号の強度を検出する再生信号強度検出部と、
前記再生信号強度検出部からの信号、すなわち記録済みのピット及びピット間のスペースに再生用レーザ光を照射して、前記スペースの内のスポット径よりも長いスペースの再生信号レベルに基づいて、演算を行い、クロストークの有無を検出するクロストーク検出部と、
前記クロストーク検出部の演算結果に基づいて光ピックアップ部の収差補正手段を駆動させる収差制御部と、
前記光ピックアップ部からの再生信号を読み取って、記録品質の評価に用いられる特性値を検出する特性値検出部と、
前記特性値検出部で検出された特性値に基づいて前記レーザダイオードの出力を補正する出力補正部と、
を有することを特徴とする光ディスク記録再生装置。
【発明の詳細な説明】
【技術分野】
【０００１】
本発明は、光ディスクの記録方法及び光ディスク記録再生装置に関するもので、球面収差の補正及びレーザ光の出力の補正を行うことにより、記録品質の低下を防止することを目的とするものである。
【背景技術】
【０００２】
ＣＤ−Ｒ（追記型ＣＤ）、ＤＶＤ±Ｒ（追記型ＤＶＤ）またはＢＤ−Ｒ（追記型ブルーレイディスク）等の光ディスクは、光透過性ディスク状基板の一方の面上に、記録層、反射層、及び必要に応じて保護層を形成した構造を有している。また、前記基板の、記録層や反射層が形成されている面上にはグルーブと呼ばれる螺旋状または同心円状の溝が形成され、隣り合うグルーブの間はランドと呼ばれる凸部となっている。このような光ディスクは、記録用レーザ光をグルーブ上の記録層に照射してピットを形成することにより記録が行われ、このピットの長さ、ピットとピットの間の部分（以下スペースと呼ぶ。）の長さ及びこれらの配列を、再生用レーザ光を照射して反射光を再生信号として読み取ることによって再生が行われる。
【０００３】
このような光ディスクは、記録用レーザ光及び再生用レーザ光が光透過層を通して記録層に照射される。ここで光透過層は、ＣＤ−ＲやＤＶＤ±Ｒの場合は光透過性ディスク状基板（厚さはＣＤ−Ｒの場合１．２ｍｍ、ＤＶＤ±Ｒの場合０．６ｍｍ）の上に記録層、反射層が順次形成された構造を有するので、光透過性ディスク状基板が光透過層に相当する。また、ＢＤ−Ｒの場合は厚さ１．１ｍｍの光透過性ディスク状基板の上に反射層、記録層が順次形成され、記録層上に厚さ０．１ｍｍの透明のカバー層が形成された構造を有するので、透明のカバー層が光透過層に相当する。
【０００４】
このような光ディスクにおいては記録用レーザ光を記録層に照射してピットを形成する時に熱が発生する。この熱の発生が過剰になると、ピットの形状が正常な形状とは異なった形状に変形することがある。このピットの変形によって記録品質（例えばジッタ特性）が低下する場合があった。このピットの変形を防止するため、記録用レーザ光の出力の調整が行われる。この記録用レーザ光の出力調整は次のように行われる。まず光ディスクのデータ記録領域より内周側にある出力校正領域（例えばＤＶＤ−ＲではＰＣＡと呼ばれる領域）に、記録用レーザ光の出力を変化させてテスト記録を行う。次にこのテスト記録の結果のうち、記録品質が良好なものを選択して、これを最適記録出力として算出する。次にこの算出により得られた最適記録出力の記録用レーザ光で光ディスクのデータ記録領域への記録を行う。  
【０００５】
しかし、光ディスクの記録層の記録感度は、生産条件などによって、個別ディスク内及びディスク個体間で 一定ではなく、ばらつきが生じることがある。このような光ディスクでは、記録用レーザ光の最適な出力が変化するため、上記方法によって算出された出力で固定して記録を行うと最適な記録品質が得られない部分が生じることがある。このような問題に鑑み、例えば、特開２００３−２６３７４０号公報に開示されているように、データ領域への記録後にその記録状態を検出して、その結果に基づいて記録用レーザ光の出力を補正する方法が提案されている。  
【０００６】
また、光ディスクの記録においては、光ディスクの反りや光透過層の厚みばらつき、光ディスク記録再生装置のピックアップ部における対物レンズ等のレンズチルト等の製造誤差によって記録品質の低下が起こる。例えば光透過層の厚みばらつきについては、記録用レーザ光または再生用レーザ光のスポットに球面収差が発生して、記録用レーザ光の出力が変化し、ピット形状に乱れが生じて記録品質が低下してしまうという問題がある。そこで特開２００４−１０３０９３号公報に開示されているように、光ディスク記録再生装置に具備された収差補正機構を用いて球面収差補正を行う方法が提案されている。また、収差補正すると記録用レーザ光の出力が変化するため、特開２００３−１０９２３９号公報に開示されているように、球面収差補正を行った後に記録用レーザ光の出力補正を行う方法が提案されている。  
【０００７】
【特許文献１】特開２００３−２６３７４０号公報
【特許文献２】特開２００４−１０３０９３号公報
【特許文献３】特開２００３−１０９２３９号公報
【発明の開示】
【発明が解決しようとする課題】
【０００８】
このように、記録品質の低下は「記録層の記録感度のバラツキによって記録用レーザ光の最適な出力から外れること」と「球面収差の発生によって記録用レーザ光の出力が最適値から外れること」とによって起こることがわかっている。しかし、従来の方法ではどちらも「記録用レーザ光の最適な出力から外れることによる記録品質の低下」として認識され、どちらの原因であるかを判別することができなかった。  
【０００９】
このように記録品質の低下の原因が判別できない場合、下記のような問題があった。例えば、記録品質の低下の原因が「記録層の記録感度のバラツキによって記録用レーザ光の最適な出力から外れること」であって球面収差の発生が無い場合のように、出力補正だけで済む場合でも、収差補正を行った後に出力補正を行ってしまうことが起こる。このように収差補正の必要のないときにも収差補正を行ってしまうため、収差補正にかかる時間分だけ記録時間が延びてしまうという問題があった。
【００１０】
本発明は、記録品質の低下の原因を判別して、適切な補正を行うことができる光ディスクの記録方法と、この記録方法を行う光ディスク記録再生装置を提案するものである。
【課題を解決するための手段】
【００１１】
本発明では第一の解決手段として、記録層と、該記録層に照射される記録用レーザ光または再生用レーザ光が通過する光透過層と、を有する光ディスクに情報を記録する方法において、前記光ディスクの出力校正領域にてテスト記録を行い、該テスト記録の結果に基づいて記録用レーザ光の最適記録出力を算出して、この算出された出力の記録用レーザ光を前記光ディスクのデータ記録領域に照射し、ピットを形成して情報の記録を行うステップと、情報の記録を中断し、記録済みのピット及びピット間のスペースに再生用レーザ光を照射して、前記スペースの内のスポット径よりも長いスペースの再生信号レベルを検知して、クロストークの有無を検出するステップと、クロストークがあった場合、記録用レーザ光または再生用レーザ光のスポットに発生する球面収差の補正を行い、その後記録用レーザ光の出力補正を行うステップと、クロストークが無かった場合、記録用レーザ光の出力補正のみを行うステップと、補正後に情報の記録を再開するステップと、を有する光ディスクの記録方法を提案する。
【００１２】
本発明では、球面収差発生の有無をクロストークの有無によって判断するものである。クロストークとは、レーザ光のスポットが照射対象のグルーブに隣接するグルーブにかかる現象で、隣接するグルーブ上のピットによる再生信号が混ざってしまう現象である。球面収差が発生すると、スポット径が広がって、クロストークが発生する。  
【００１３】
本発明では、クロストークの発生の有無を、レーザ光のスポット径よりも長いスペースにおける再生信号レベルによって検知している。スポット径よりも長いスペースにおける再生信号は、基本的にピットによる再生信号がないものであり、Ｈｉｇｈ−ｔｏ−Ｌｏｗの光ディスクすなわち再生信号の強度が「ピット＜スペース」の光ディスクでは最も再生信号レベルが高くなり、逆にＬｏｗ−ｔｏ−Ｈｉｇｈの光ディスクすなわち再生信号の強度が「ピット＞スペース」の光ディスクでは最も再生信号レベルが低くなる。クロストークが発生した場合、スポットが隣接するグルーブ上のピットにかかり、このピットによる再生信号を読み込んでしまう。そのためスポット径よりも長いスペースにおける再生信号に、隣接するグルーブ上のピットによる再生信号が合成されてしまう。その結果、スポット径よりも長いスペースにおける再生信号レベルが、Ｈｉｇｈ−ｔｏ−Ｌｏｗの光ディスクでは低下し、逆にＬｏｗ−ｔｏ−Ｈｉｇｈの光ディスクでは上昇する。このような再生信号レベルの変化を検知することによってクロストークの発生を検知することができる。  
【００１４】
第一の解決手段によれば、上記のように球面収差発生の有無を判別することができるので、収差補正が必要な場合には収差補正を行ってから出力補正を行い、収差補正が不必要な場合には出力補正のみを行う、というような適切な補正を効率よく行うことができるようになる。  
【００１５】
なお、上記第一の解決手段において、収差補正のみで出力補正を行わなくても記録品質が向上する場合もある。そこで本発明では第二の解決手段として、上記第一の解決手段の「クロストークがあった場合、記録用レーザ光または再生用レーザ光のスポットに発生する球面収差の補正を行い、その後記録用レーザ光の出力補正を行うステップ」に代えて、クロストークがあった場合、前記球面収差の補正のみを行うステップを有する光ディスクの記録方法を提案する。
【００１６】
また、本発明では第三の解決手段として、記録層と、該記録層に照射される記録用レーザ光または再生用レーザ光が通過する光透過層と、を有する光ディスクに情報を記録する記録再生装置として、記録用レーザ光または再生用レーザ光を発するレーザダイオードと、該レーザダイオードからのレーザ光を前記光ディスクに集光する対物レンズと、前記レーザダイオードと前記対物レンズとの間に設けられ、前記記録用レーザ光または前記再生用レーザ光に生じた球面収差を補正する収差補正手段と、光ディスクからの反射光を再生信号として検出するフォトディテクタと、を有している光ピックアップ部と、前記光ピックアップ部からの再生信号を読み取って再生信号の強度を検出する再生信号強度検出部と、前記再生信号強度検出部からの信号、すなわち記録済みのピット及びピット間のスペースに再生用レーザ光を照射して、前記スペースの内のスポット径よりも長いスペースの再生信号レベルに基づいて演算を行い、クロストークの有無を検出するクロストーク検出部と、前記クロストーク検出部の演算結果に基づいて光ピックアップ部の収差補正手段を駆動させる収差制御部と、前記光ピックアップ部からの再生信号を読み取って、記録品質の評価に用いられる特性値を検出する特性値検出部と、前記特性値検出部で検出された特性値に基づいて前記レーザダイオードの出力を補正する出力補正部と、を有する光ディスク記録再生装置を提案する。
【００１７】
上記光ディスク記録再生装置によれば、再生信号強度からクロストークの有無を検知して、収差発生の有無を判別することができるので、球面収差の検出に光透過層の厚み測定部などの特別な機構を用いなくてもよい。そのため低コストで良好な記録品質の情報記録ができる光ディスク記録再生装置を得ることができる。
【発明の効果】
【００１８】
本発明によれば、記録品質の低下の原因を判別して、適切な補正を行うことができる光ディスクの記録方法を得ることができ、さらにこのような記録方法を用いて低コストで良好な記録品質の情報記録ができる光ディスク記録再生装置を得ることができる。
【発明を実施するための最良の形態】
【００１９】
本発明の実施の形態における記録装置を、図１を用いて説明する。光ディスク記録再生装置１００は、処理途中のデータ、処理結果のデータ、処理における参照データ（例えば各メディアＩＤに対応するストラテジデータ）などを格納するメモリ１２６と、以下で説明する処理を行わせるためのプログラムが記録されるメモリ回路を含む演算部１２５と、記録用レーザ光及び再生用レーザ光の制御を行うレーザダイオード駆動制御部１２２と、再生信号の強度を検出する再生信号強度検出部１２３と、再生信号を検知して記録品質の評価に用いられる特性値を検出する特性値検出部１２４と、光ピックアップ１１０と、光ピックアップ１１０の制御を行う光ピックアップ駆動制御部１２１と、光ディスク１５０の回転制御部（図示しない）及びモータ並びに光ピックアップ１１０用のサーボ制御部（図示しない）等を含む。
【００２０】
また、光ピックアップ１１０は、対物レンズ１１３と、ビームスプリッタ１１５と、検出レンズ１１４と、コリメートレンズ１１２と、レーザダイオード１１１と、フォトディテクタ１１６と、レーザダイオード１１１と対物レンズ１１３との間に設けられた収差補正手段１１７と、収差補正手段１１７を駆動させる駆動手段１１８とを含む。光ピックアップ１１０では、図示しないサーボ制御部の制御に応じて図示しないアクチュエータが動作し、フォーカス及びトラッキングが行われる。
【００２１】
演算部１２５は、メモリ１２６、再生信号強度検出部１２３、特性値検出部１２４、光ピックアップ駆動制御部１２１、レーザダイオード駆動制御部１２２、図示しない回転制御部及びサーボ制御部などに接続されている。また、演算部１２５は、メモリ回路に格納されているプログラムを実行することによって、クロストーク検出部および収差制御部として機能するようになっている。さらに、特性値検出部１２４は、フォトディテクタ１１６及び演算部１２５に接続されている。また、再生信号強度検出部１２３は、フォトディテクタ１１６及び演算部１２５に接続されている。光ピックアップ駆動制御部１２１は、演算部１２５及び光ピックアップ１１０に接続されている。また、レーザダイオード駆動制御部１２２は、演算部１２５及びレーザダイオード１１１に接続されている。演算部１２５は、インターフェース部（図示せず）を介して入出力システム（図示せず）にも接続されている。
【００２２】
次に、光ディスク１５０に対してデータを記録する場合における処理の概要を説明する。まず、演算部１２５又は別途設けられているデータ変調回路（図示せず）は、光ディスク１５０に書き込むためのデータに対して変調処理などを実施し、変調処理後のデータをレーザダイオード駆動制御部１２２に出力する。レーザダイオード駆動制御部１２２は、指定の記録条件に従って、受信したデータでレーザダイオード１１１を駆動して記録用レーザ光を出力させる。記録用レーザ光は、コリメートレンズ１１２、ビームスプリッタ１１５、収差補正手段１１７、対物レンズ１１３を介して光ディスク１５０に照射され、光ディスク１５０にピットが形成されるとともにスペースが形成される。
【００２３】
また、光ディスク１５０に記録されたデータを再生する場合における処理の概要を説明する。演算部１２５からの指示に従ってレーザダイオード駆動制御部１２２は、レーザダイオード１１１を駆動して再生用レーザ光を出力させる。再生用レーザ光は、コリメートレンズ１１２、ビームスプリッタ１１５、収差補正手段１１７、対物レンズ１１４を介して光ディスク１５０に照射される。光ディスク１５０からの反射光は、対物レンズ１１３、収差補正手段１１７、ビームスプリッタ１１５、検出レンズ１１４を介してフォトディテクタ１１６に入力される。フォトディテクタ１１６は、光ディスク１５０からの反射光を電気信号に変換し、データ復調回路（図示せず）等に再生信号として出力する。データ復調回路は、出力された再生信号に対して所定の復号処理を行い、復号されたデータを演算部１２５及びインターフェース部（図示せず）を介して、入出力システム（図示せず）の表示部に出力して、再生データを表示させる。
【００２４】
次に、図１〜図３に基づいて、本発明の球面収差を検出する方法について説明する。なお、以下の説明はＬｏｗ−ｔｏ−Ｈｉｇｈの光ディスクを例にとって説明する。図２は光ディスク１５０へ再生用レーザ光を照射している状態を示す部分拡大図で、（ａ）は球面収差が発生していない状態、（ｂ）は球面収差が発生している状態を示している。グルーブＧＶ１、ＧＶ２及びＧＶ３は記録済みのグルーブで、ピットＰＴ及びスペースＳＰが形成されている。また、グルーブＧＶ１とグルーブＧＶ２との間にはランドＬＮ１が形成され、グルーブＧＶ２とグルーブＧＶ３との間にはランドＬＮ２が形成されている。再生用レーザ光はグルーブＧＶ２にスポットＢＳを形成するように照射されている。スポットＢＳによる反射光はそれぞれディテクタ１１６で検知され、これにより再生信号が発生する。なお図２（ａ）及び（ｂ）においては、スポットＢＳがグルーブＧＶ２上のスポットＢＳのスポット径よりも長いスペースＳＰＬに照射されている瞬間を示している。なお、スポット径は、ＤＶＤ−Ｒでは８５０ｎｍ、ＢＤ−Ｒでは４００ｎｍである。これより長いスペースの長さは、ＤＶＤ−Ｒでは７Ｔ（約９３１ｎｍ）、ＢＤ−Ｒでは６Ｔ（約４４７ｎｍ）である。よって、ＤＶＤ−Ｒでは７Ｔ以上、ＢＤ−Ｒでは６Ｔ以上のスペースを「スポット径よりも長いスペース」とする。
【００２５】
球面収差が発生していない場合には、図２（ａ）に示すように、スポットＢＳはグルーブＧＶ２に合わせて形成され、グルーブＧＶ１、及びＧＶ３にかからないように形成される。このため、再生用レーザ光はグルーブＧＶ２に照射され、そのグルーブＧＶ２上に形成されたピットＰＴ及びスペースＳＰのみによる再生信号が発生する。
【００２６】
球面収差が発生している場合には、図２（ｂ）に示すように、スポットＢＳのスポット径が広がって、グルーブＧＶ１、及びＧＶ３にかかるように形成される。このため、再生用レーザ光はグルーブＧＶ２とともにグルーブＧＶ１及びＧＶ３に照射され、そのグルーブＧＶ２上に形成されたピットＰＴによる再生信号だけでなく、グルーブＧＶ１及びＧＶ３上に形成されたピットＰＴによる再生信号も発生し、いわゆるクロストークが発生する。このような場合、スポットＢＳがグルーブＧＶ２上のスポット径よりも長いスペースＳＰＬにかかっているときにも、スポットＢＳがグルーブＧＶ１またはグルーブＧＶ３のピットにかかることがある。例えばＬｏｗ−ｔｏ−Ｈｉｇｈの光ディスクの場合、スポット径よりも長いスペースＳＰＬを読み込んだときの再生信号レベルは最も低くなる。しかしクロストークが発生すると、スポット径よりも長いスペースＳＰＬの再生信号レベルが、隣接するグルーブのピットＰＴを読み込んで発生した再生信号レベルの分だけ上昇する。
【００２７】
上記の状態を、図３に示すアイパターンで説明する。図３に示すアイパターンは、フォトディテクタ１１６で発生した再生信号を再生信号強度検出部１２３に入力して検出されたもので、上限はスポット径よりも長いピットの再生信号レベルを示し、下限はスポット径よりも長いスペースの再生信号レベルを示している。また、図３（ａ）はクロストークが発生していない状態を示し、図３（ｂ）はクロストークが発生している状態を示している。図３によれば、クロストークが発生すると、スポット径よりも長いスペースの再生信号レベルが変化量ＳＳの分だけ上昇する。この変化量ＳＳを検出することによって、球面収差の発生を検出することができる。
【００２８】
次に、本発明の記録方法について説明する。図４は、光ディスク１５０への記録手順を示すフローチャートである。まず、光ディスク１５０を光ディスク記録再生装置１００に挿入する（Ｓ１）。光ディスク記録再生装置１００は光ディスク１５０に予め記録されているメディアＩＤを読み出す（Ｓ２）。続いてメモリ１２６からメディアＩＤに対応したストラテジを読み込む（Ｓ３）。続いて読み出したストラテジのデータに従って、記録用レーザ光の最適記録出力を特定したのち、光ディスク１５０に記録を開始する（Ｓ４）。このとき、球面収差の発生していないときのスポット径よりも長いスペースの再生信号レベルを検出しておいても良い。続いて途中で一旦記録を中断する（Ｓ５）。記録の中断は、所定の間隔で定期的に中断するか、またはＲＯＰＣ（Ｒｕｎｎｉｎｇ  Ｏｐｔｉｍｕｍ  Ｐｏｗｅｒ  Ｃｏｎｔｒｏｌ）などの方法で記録を行いながら記録品質を検出して、記録品質が低下した場合に中断する等の方法で行われる。
【００２９】
続いて記録用レーザ光を再生用レーザ光に切り換えて、スポットＢＳを記録済みのグルーブに合わせて、グルーブ上のピットＰＴ及びスペースＳＰを読み取る（Ｓ６）。再生を行うグルーブは、記録済みの一連のグルーブのうちの最内外周のグルーブを含まない一部の領域のグルーブ、例えば記録品質が低下していると判断されたグルーブを対象とする。
【００３０】
続いてスポットＢＳの反射光をフォトディテクタ１１６で検出して再生信号を検出し、この再生信号の強度を再生信号強度検出部１２３にて検出し、図３（ｂ）に示すようなアイパターンを形成して、スポット径よりも長いスペースの再生信号レベルを検出する（Ｓ７）。ここで例えばＬｏｗ−ｔｏ−Ｈｉｇｈの光ディスクの場合、図３のアイパターン信号の上限はスポット径よりも長いピットの再生信号レベルを示し、下限はスポット径よりも長いスペースの再生信号レベルを示している。アイパターン信号の下限として検出されたスポット径よりも長いスペースの再生信号レベルと、ステップＳ４等で予めアイパターン信号から同様に求めていた球面収差の発生していないときのスポット径よりも長いスペースの再生信号レベルと、を比較することにより再生信号レベルの変化を検出し、これに基づいて、演算部１２５のクロストーク検出部にてクロストークの有無を判定する（Ｓ８）。
【００３１】
ステップＳ８でクロストーク無しと判定された場合は、フォトディテクタ１１６からの再生信号を特性値検出部１２４に入力し、記録品質を評価する特性値を検出する。（Ｓ９）。記録品質を評価する特性値としては、アシンメトリ値またはβ値を用いる。アシンメトリ値はアイパターンの非対称性を示す特性値で、ＤＣ（直流）接続の評価回路系において、最短ピットの信号レベルをＩ２Ｌ、最長ピットの信号レベルをＩ８Ｌ、最短スペースの信号レベルをＩ２Ｈ、最長スペースの信号レベルをＩ８Ｈとしたとき、
｛（Ｉ８Ｈ−Ｉ８Ｌ）／２−（Ｉ２Ｈ−Ｉ２Ｌ）／２｝／（Ｉ８Ｈ−Ｉ８Ｌ）
で表すことができる。また、β値は、アシンメトリ値と同様にアイパターンの非対称性を示す特性値で、ＡＣ（交流）接続の評価回路系において、スペース側の最大信号レベルをＡ１、ピット側の最大信号レベルをＡ２としたとき、
（Ａ１＋Ａ２）／（Ａ１−Ａ２）
で表すことができる。
【００３２】
続いて検出した特性値に基づいて、演算部１２５からレーザダイオード駆動制御部１２２に制御信号を送信し、記録用レーザ光の出力補正を行う（Ｓ１０）。このようにして、光ディスク１５０への記録が終了するまでステップＳ４〜ステップＳ１０を繰返す（Ｓ１１）。
【００３３】
ステップＳ８でクロストーク有りと判定された場合は、演算部１２５の収差制御部から光ピックアップ１１０に制御信号を送信して光ピックアップ１１０を駆動させ、光ピックアップ１１０から駆動手段１１８に制御信号を送信して収差補正手段１１７を駆動して収差補正を行う（Ｓ８１）。収差補正手段としては、特開２００３−１０９２３９号公報に開示されているようなリレーレンズ群のようなもの、または屈折率を制御する液晶素子等が用いられる。あるいはコリメータレンズ１１２を収差補正手段として駆動させても良い。駆動手段１１８は、収差補正手段１１７がリレーレンズ群やコリメータレンズであればアクチュエータ等が用いられる。収差補正を行った後は記録用レーザ光の出力も変化する。そのため、収差補正を行った後の記録用レーザ光の出力が最適値であれば出力補正の必要はなくなるが、最適値からはずれている場合には出力補正が必要になる。そのため、収差補正後の出力補正要否を判断するため、次のようなステップを行う。
【００３４】
ます、収差補正した後、記録を再開し、次いで再び記録を中断する。次に再生用レーザ光に切り換えて、収差補正後の記録済みのグルーブにスポットＢＳを合わせ、反射光をフォトディテクタ１１６で検出して、収差補正後の再生信号を出力する。続いて出力された再生信号を特性検出部１２４に送信し、記録品質の評価に用いる特性値を検出する（Ｓ８２）。記録品質の評価に用いる特性値としては、上述のアシンメトリ値、またはβ値が挙げられる。
【００３５】
次にステップＳ８２で検出された特性値に基づいて、ステップＳ４において記録用レーザ光の最適記録出力を特定したときのターゲットとなる特性値と、収差補正後の特性値とを比較して、出力補正の要否を判断する（Ｓ８３）。特性値がターゲットとした値に収まっている場合、出力補正は不要であると判断され、ステップＳ１１に移行する。一方、特性値がターゲットとした値から外れている場合、出力補正が必要であると判断される。出力補正が必要と判断されたら、ステップＳ１０と同様にして出力補正を行う（Ｓ８５）。その後ステップＳ１１へ移行する。
【００３６】
以上、図４のフローチャートに基づいて本発明の記録方法を説明したが、該フローチャートの手順はプログラムの形で演算部１２５のメモリ回路に読み込ませることによって既存の光ディスク記録再生装置にて実行可能である。これによって光ディスクの光透過層の厚みばらつきを検出するための厚み測定部などを有する特別な記録再生装置を用いる必要がなく、低コストで収差補正及び良好な記録品質の情報記録が可能になる。
【図面の簡単な説明】
【００３７】
【図１】本発明の光ディスク記録再生装置を示す機能ブロック図である。
【図２】スポットとグルーブの配置を示す模式図で、（ａ）は球面収差が発生していない場合を示し、（ｂ）は球面収差が発生している場合を示す。
【図３】再生信号レベルを示すアイパターンを示す図で、（ａ）はクロストークが発生していない場合を示し、（ｂ）はクロストークが発生している場合を示す。
【図４】本発明の記録方法を示すフローチャートである。
【符号の説明】
【００３８】
１００  光ディスク記録再生装置
１１０  光ピックアップ部    
１１１  レーザダイオード  
１１２  コリメートレンズ  
１１３  対物レンズ
１１４  検出レンズ
１１５  ビームスプリッタ
１１６  フォトディテクタ
１１７  収差補正手段
１１８  駆動手段
１２１  光ピックアップ駆動制御部
１２２  レーザダイオード駆動制御部
１２３  再生信号強度検出部
１２４  特性値検出部
１２５  演算部
１２６  メモリ
１５０  光ディスク
【図１】
0004922869.tif 000002
【図２】
0004922869.tif 000003
【図３】
0004922869.tif 000004
【図４】
0004922869.tif 000005